(57)【要約】【課題】メンテナンス性をあまり損ねることなく、カバー部材とブラケット本体の固定強度を高めることができる手摺ブラケットの提供を目的とする。【解決手段】ブラケット本体３にカバー部材６を脱離可能に装着してなり、  前記カバー部材６の一端縁部７には、端縁にほぼ沿うように片持ち梁状に突設されて板厚方向に弾性変形可能で、装着状態においてブラケット本体３に形成される被係合部１に自由端部を係合する弾性脚４が形成されるとともに、対向端縁部８には、ブラケット本体３に形成される被係止部２に対して前記被係合部１の開放方向に係止する弾性変形可能なフック部５が形成され、  被係止部２にフック部５を弾発係止させることによりブラケット本体３にカバー部材６を装着可能で、かつ、前記対向端縁部８を中心にした回転操作により弾性脚４を被係合部１から弾発的に係合解除させることによってブラケット本体３からカバー部材６を脱離可能に構成する。【選択図】図４
2007182706.tif 000002
【特許請求の範囲】
【請求項１】
ブラケット本体にカバー部材を脱離可能に装着してなり、
前記カバー部材の一端縁部には、端縁にほぼ沿うように片持ち梁状に突設されて板厚方向に弾性変形可能で、装着状態においてブラケット本体に形成される被係合部に自由端部を係合する弾性脚が形成されるとともに、対向端縁部には、ブラケット本体に形成される被係止部に対して前記被係合部の開放方向に係止する弾性変形可能なフック部が形成され、
被係止部にフック部を弾発係止させることによりブラケット本体にカバー部材を装着可能で、かつ、前記対向端縁部を中心にした回転操作により弾性脚を被係合部から弾発的に係合解除させることによってブラケット本体からカバー部材を脱離可能な手摺ブラケット。
【請求項２】
前記カバー部材には、前記対向端縁部を中心にした回転操作による弾性脚の被係合部に対する弾発的な係合解除時の変形量では接触することなく、かつ、少なくともフック部の被係止部に対する係止解除方向への直線移動操作による弾性脚の被係合部からの弾発的な係合解除のための変形量において接触する間隔を隔てて弾性脚に近接する補強片が形成される請求項１記載の手摺ブラケット。
【請求項３】
前記弾性脚は、フック部の被係止部に対して係止する向きの反対方向に傾斜して突設される請求項１または２記載の手摺ブラケット。
【発明の詳細な説明】
【技術分野】
【０００１】
本発明は手摺ブラケットに関するものである。
【背景技術】
【０００２】
従来、ブラケット本体にカバー部材を脱着可能にした手摺ブラケットとしては、例えば、特許文献１に記載されたものが知られている。この従来例において、ブラケット本体には横溝が形成され、カバー部材には、嵌合片が形成されるとともに、抜け止めキャップの突起に嵌合する凹部が形成される。ブラケット本体へのカバー部材の装着は、横溝に嵌合片を嵌合させてブラケット本体に組み付けられるカバー部材に対し、その凹部に突起を嵌合させることによりブラケット本体の一部を包み込むようにして抜け止めキャップを装着することによってなされ、この状態で横溝と嵌合片の嵌合解除を凹部に対する突起の嵌合により規制する。また、上記抜け止めキャップには、カバー部材への装着状態においてブラケット本体に貼着されて上記凹部に対する突起の嵌合解除を妨げる両面テープが貼り付けられる。
【０００３】
したがってブラケット本体とカバー部材は横溝と嵌合片の嵌合により、カバー部材と抜け止めキャップは凹部と突起の嵌合により、さらに抜け止めキャップとブラケット本体は両面テープの貼着により、これら三部品が互いに二部品間で連鎖状に連結される。カバー部材のブラケット本体からの取り外しに際しては、抜け止めキャップとブラケット本体との間に先端が尖った工具を差し入れて両面テープを剥がし、突起と凹部の嵌合を解除した後、カバー部材を手前に引いて嵌合片を横溝から引き抜けばよい。
【特許文献１】特開２００４-１６９５３１号公報
【発明の開示】
【発明が解決しようとする課題】
【０００４】
以上のようにブラケット本体にカバー部材を脱着可能にすることにより、例えばブラケット本体を壁面に対してアンカーボルトで固定する場合などにおいて、カバー部材の装着によりアンカーボルトの頭部を隠して意匠性を高めることができるとともに、カバー部材の脱離により、アンカーボルトの増し締めなどのメンテナンス性を高めることができるようになるが、この反面、子供のいたずらなどによってカバー部材が取り外されてしまうおそれが生じる。このため、子供のいたずら程度ではカバー部材をブラケット本体から取り外すことができないようにすることが求められる。
【０００５】
この点、上述した従来例のように粘着テープを用いるときには、粘着テープの粘着力を高めればカバー部材のブラケット本体に対する固定強度を高めることができるものの、この場合には、高い粘着力を維持するために、メンテナンス時に既存の高い粘着力の粘着テープをきれいに剥がして再度新しい粘着テープを貼り付けなければならなくなり、メンテナンス性が極端に悪くなってしまうという欠点がある。
【０００６】
本発明は、以上の欠点を解消すべくなされたものであって、メンテナンス性をあまり損ねることなく、カバー部材とブラケット本体の固定強度を高めることができる手摺ブラケットの提供を目的とする。
【課題を解決するための手段】
【０００７】
本発明によれば上記目的は、
ブラケット本体３にカバー部材６を脱離可能に装着してなり、
前記カバー部材６の一端縁部７には、端縁にほぼ沿うように片持ち梁状に突設されて板厚方向に弾性変形可能で、装着状態においてブラケット本体３に形成される被係合部１に自由端部を係合する弾性脚４が形成されるとともに、対向端縁部８には、ブラケット本体３に形成される被係止部２に対して前記被係合部１の開放方向に係止する弾性変形可能なフック部５が形成され、
被係止部２にフック部５を弾発係止させることによりブラケット本体３にカバー部材６を装着可能で、かつ、前記対向端縁部８を中心にした回転操作により弾性脚４を被係合部１から弾発的に係合解除させることによってブラケット本体３からカバー部材６を脱離可能な手摺ブラケットＡを提供することにより達成される。
【０００８】
本発明によれば、ブラケット本体３に対するカバー部材６の装着は、被係合部１に対する弾性脚４の係合と、被係止部２に対するフック部５の係止によりなされる。被係合部１の弾性脚４との係合解除方向である開放方向に被係止部２とフック部５が係止することにより、カバー部材６のブラケット本体３に対する装着状態が安定する。また、上記弾性脚４とフック部５とは、それぞれカバー部材６の一端縁部７とその対向端縁部８、すなわちカバー部材６の対向する端縁部に配置され、カバー部材６の装着状態における安定性が高められる。
【０００９】
上記弾性脚４およびフック部５はいずれも弾性変形可能に形成され、カバー部材６のブラケット本体３への装着は、その一方であるフック部５を撓ませて被係止部２に弾発係止させることによりなされる。これは、例えば後述する実施の形態に示すように、弾性脚４が被係合部１に差し込まれるようにカバー部材６をブラケット本体３に近づけたときにフック部５と被係止部２が傾斜面で衝接するようにすればよく、傾斜面による分力によってフック部５を撓ませれば、傾斜面を乗り越えたフック部５の被係止部２への弾発係止と同時に弾性脚４が被係合部１に深く係合し、これによりカバー部材６がブラケット本体３に装着される。上記フック部５は、例えばアームの先端に拡開鉤部、すなわち傾斜面と鉤を備えて構成することが可能であり、この場合アームに弾性変形能を持たせることがその構造上容易である。また、被係止部２は、フック部５が係止できるもの、例えば突起として構成することが可能である。
【００１０】
一方、弾性脚４は、カバー部材６の一端縁にほぼ沿うように、その近傍から片持ち梁状に突設される板状の部材で、したがってその突設基端から自由端に行くに従って板厚方向に弾性変形できるように構成される。ブラケット本体３へのカバー部材６の装着状態において、上述したフック部５が形成される対向端縁部８を中心にカバー部材６をブラケット本体３に対して回転させれば、上記一端縁部７の端縁に沿う弾性脚４は被係合部１により板厚方向に弾性変形し、被係合部１との係合が解除される位置まで回転が進行すれば、弾性復帰して弾発的に被係合部１と係合解除する。
【００１１】
上述したように弾性脚４は板状に形成されるため、これに係合する被係合部１は弾性脚４の断面に一致する長穴や、弾性脚の板厚にほぼ一致する幅の溝として構成することが可能で、溝の場合には、カバー部材６の溝に沿ったブラケット本体３に対する相対移動を適宜妨げることができるように他の係止手段等をカバー部材６やブラケット本体３に設ければ装着状態を安定させることができる。また、上述した対向端縁部８を中心にしたカバー部材６の回転を妨げないようにするために、上述したフック部５と被係止部２については回転中心軸となる対向端縁部８周りにある程度適宜に回転できるようにすることが望ましく、例えば対向端縁部８を中心にした回転面内で係止していれば、係止状態をやや変更しつつ維持して回転することができる。
【００１２】
以上のようにカバー部材６の装着、脱離時において弾性変形する部材を弾性脚４とフック部５とで異ならせることにより、弾性脚４の弾性変形能を低く設定する、例えば弾性脚４の板厚を厚くするなどすれば、カバー部材６の固定強度のみを容易に高めることができ、子供のいたずら程度ではカバー部材６が取り外されないようにすることができる。一方、反対にフック部５について弾性変形能を高めれば、カバー部材６を装着する際には、脱離する際に比べて力がいらなくなり、簡単になる。このようにカバー部材６脱離時の作業性の悪化を装着時の改善で補うことにより、全体としての作業性を維持することができ、メンテナンス性を維持することができる。
【００１３】
なお、カバー部材６の装着、脱離時における作業性を異ならせるためには、少なくともこれらの各作業に要する力の総量、すなわち弾性変形のための力の総量を異ならせれば足り、したがって例えば装着時においてフック部５に加えて弾性脚４をも少量弾性変形させるようにしても、装着作業全体として必要な力が脱離時よりも低ければ、脱離時の作業性を装着時に補うことが可能で、メンテナンス性を維持、向上することが可能である。
【００１４】
また、以上のようにカバー部材６をブラケット本体３から取り外すために弾性脚４を弾性変形させる構成をとる場合において、カバー部材６がこじられたときのように被係止部２とフック部５の係止解除方向に弾性脚４が比較的強い力で弾性変形や塑性変形などにより変形させられたときのフック部５の係止解除によるカバー部材６の脱抜を防止するためには、弾性脚４の変形量に一定の限度を設けることが有効である。弾性脚４の変形量の限界の設定は、その弾性力や被係合部１に対する係止深さを調節したり、あるいは断面形状を調節したりして行うことが理論上は可能であるものの、適宜の弾性変形能を維持して精度の高い限界を設定することは実質的には困難である。この場合において、正規の取り外し操作では弾性脚４に接触せず、こじったときのように少なくとも被係止部２に対するフック部５の係止解除方向への直線移動操作では弾性脚４に接触してその変形を規制する補強片９を弾性脚４に隣接して設ければ、弾性脚４の弾性変形能を適宜に維持しつつ、容易にその変形量に一定の限度を設定することができる。この場合補強片９は、図４に矢印で示すように、フック部５の被係止部２に対する係止解除方向への操作力Ｆにより弾性脚４が撓む方向、すなわちフック部５の係止解除方向の反対方向側に、正規取り外し操作時の変形を許容できる程度の間隔を隔てて、弾性脚４に隣接して設けることにより構成することができる。
【００１５】
さらに、弾性脚４をフック部５の被係止部２に対して係止する向きの反対方向、すなわち上述したようにアームに鉤を設けてフック部５を構成するときにはアームに対して鉤が設けられている向きの反対方向に傾斜して突設させた場合には、カバー部材６のブラケット本体３からの抜け止めについて、さらに補強することができる。すなわち、上述したように対向端縁部８を中心としたカバー部材６の回転は、弾性脚４を対向端縁部８を中心にした回転軌道に沿って移動させることになり、上述したように一端縁部７、すなわち対向端縁部８から離れた位置にある弾性脚４を傾斜させておけば、被係合部１との実質的な掛かり深さを深くすることができる。また、カバー部材６の対向するそれぞれの端縁部７、８に弾性脚４とフック部５が配置され、それぞれが傾斜と鉤によりちょうど反対方向につっぱるようになるために、カバー部材６のがたつきについても抑制することができる。
【発明の効果】
【００１６】
以上の説明から明らかなように、本発明によれば、メンテナンス性をあまり損ねることなくカバー部材とブラケット本体の固定強度を高めることができ、機能性と意匠性を効率的に維持して手摺装置の価値を向上させることができる。
【発明を実施するための最良の形態】
【００１７】
図１ないし図５に本発明の実施の形態を示す。図３および図４は本発明に係る手摺ブラケットＡにより手摺笠木１１を支持、固定した状態を示すもので、手摺笠木１１はアルミニウム等を押し出し成形して形成される芯材１１ａに合成樹脂材からなる被覆材１１ｂを被せて形成される。この手摺笠木１１には下方に開放する溝状の取付部１２が長手通しに形成され、取付部１２に挿入される手摺ブラケットＡの笠木支持片３ａに対してネジ１３により固定、装着される。
【００１８】
上記手摺ブラケットＡは、図１および図２に示すように、笠木支持片３ａの下方に固定片３ｂを延設して形成されるブラケット本体３と、このブラケット本体３の固定片３ｂを覆うカバー部材６とを有し、図４に示すように、壁面１４に打ち込まれるアンカーボルト１５を固定片３ｂに開設されたアンカー挿通孔１６に挿通させ、アンカーボルト１５の終端部にナット１７を螺合することにより壁面１４に固定される。
【００１９】
ブラケット本体３は、アルミニウムの押し出し型材を当該ブラケット本体３の幅方向寸法に切断し、アンカー挿通孔１６を穿孔して量産されるもので、幅方向に同一断面形状であり、板状の固定片３ｂの上端からほぼ四分円弧状に飛び出す連結片３ｃを介してこの固定片３ｂに平行な板状の笠木支持片３ａを上方に延設して形成される。固定片３ｂの下端部にはその板厚方向に蟻溝状の嵌合溝（被係合部１）が凹設され、連結片３ｃの固定片３ｂ側の基端近傍には、基端側に行くに従って固定片３ｂ側に漸次張り出す庇状の張り出し部（被係止部２）が形成される。この張り出し部２は、連結片３ｃの固定片３ｂ側の基端側に行くに従って連結片３ｃから漸次離れるように斜めに張り出す傾斜面２６と、連結片３ｃから固定片３ｂ側に直角方向に張り出して上記傾斜面２６の張り出し終端と繋がる顎部１８により構成される。
【００２０】
カバー部材６は、合成樹脂材の射出成型品であり、特に図２に示すように、ほぼ矩形板状のカバー部１９の両側縁からほぼ直交方向に挟持壁２０を立設し、対向する挟持壁２０の一側縁間を連結するようにカバー部１９の下端縁から断面やや円弧状をなす覆い壁２１をほぼ直交方向に立設して略箱状に形成される。また、上記カバー部１９の裏面、すなわち挟持壁の立設される側の面には、その上端縁部（対向端縁部８）にフック（フック部５）が突設され、下端縁部（一端縁部７）に弾性脚４が突設される。
【００２１】
フック５は、カバー部１９から挟持壁２０に対してほぼ直角をなすように立設される断面矩形の短冊状からなるアーム部２２と、このアーム部２２の自由端縁部に形成され、アーム部２２の後端側に行くに従ってその板厚方向に漸次拡開する拡開鉤部２３とを有し、挟持壁２０、２０の間で挟持壁２０と隙間を隔ててカバー部１９の幅方向に対称な二カ所に並べられる。このフック部５はカバー部１９の上端縁、すなわち覆い壁２１の反対側の端縁よりもやや内方に配置されて挟持壁２０よりもやや短寸にされ、上記拡開鉤部２３は、アーム部２２の後端側に行くに従って該アーム部２２から漸次離れてカバー部１９の上端側に近接するように斜めに張り出す傾斜面２６と、アーム部２２からカバー部１９の上端側に向かって直交方向に張り出して傾斜面２６の終端に繋がる顎部１８により構成される。この実施の形態において、拡開鉤部２３は、アーム部２２からカバー部材６の外側に向かって、すなわちカバー部材６の上方に向かって突出する。
【００２２】
弾性脚４は、上記アーム部２２にほぼ平行で、具体的にはやや覆い壁２１側に近接する角度、この実施の形態においてはアーム部２２よりも５度程度覆い壁２１側、すなわちアーム部２２から離れる側に傾いてカバー部１９から立設される断面矩形の板材であり、アーム部２２よりも板厚がやや厚く、上述したブラケット本体３の嵌合溝１内にその蟻溝状の空間を利用して揺動自在な程度の厚さにされる。この弾性脚４は、フック５を張り出し部２に係止させたときに、嵌合溝１の覆い壁２１側の傾斜する内壁面にほぼ密着する程度の間隔でフック５と離間して配置され、この状態で自由端がほぼ嵌合溝１の底面に接触する程度の高さにされる。また、上述したアーム部２２同様、挟持壁２０、２０の間に挟持壁２０と隙間を隔てて配置され、カバー部１９の幅方向寸法よりも若干短い程度と上述した一対のアーム部２２、２２を合計した幅寸法よりもさらに幅広に形成される。また、カバー部１９から片持ち梁状に突設されることにより板厚方向の弾性変形能が適宜に高められる。
【００２３】
以上のカバー部材６は、図５に示すように、先ず、ブラケット本体３の固定片３ｂに対してカバー部１９を傾けて弾性脚４を嵌合溝１に差し込み、次いで、図５等において白抜きの矢印で示すように、弾性脚４と嵌合溝１の係合するカバー部材６下端縁部７を中心にしてカバー部材６を固定片３ｂに対して相対回転させ、アーム部２２の弾性変形により拡開鉤部２３を張り出し部２に弾発係止させることによってブラケット本体３に装着される。手順を詳しく説明すると、カバー部材６の両挟持壁２０、２０を指で摘み、アンカーボルト１５により壁面１４に固定されたブラケット本体３の固定片３ｂに対してカバー部１９を傾けたカバー部材６の下端縁部７を近づけて弾性脚４を嵌合溝１に差し込むと、嵌合溝１の蟻溝状の上面側のスペースにより弾性脚４が嵌合溝１内に深く進入する。
【００２４】
この後、弾性脚４の嵌合溝１に対する係止により下方への落下が防止されたカバー部材６のカバー部１９の表面を固定片３ｂ側に今度は指で押し、図５における半時計回り方向に下端縁部７を中心にしてカバー部材６を回転させると、回転に伴って拡開鉤部２３の傾斜面２６が張り出し部２の傾斜面２６に摺接し、これらの傾斜面２６、２６により生じる分力によってアーム部２２が次第に撓み、カバー部材６の回転操作により拡開鉤部２３の顎部１８が張り出し部２の顎部１８を超えたときに、アーム部２２と弾性脚４が弾性復帰して拡開鉤部２３、すなわちフック５と張り出し部２の顎部１８、１８同士が弾発係止する。これと同時に、弾性脚４は、カバー部材６の回転姿勢の変化に伴って角度を変え、これにより弾性脚４の自由端部は蟻溝状の嵌合溝１内を下方に向かって回転し、フック５と張り出し部２の係止状態において今度は蟻溝状の嵌合溝１の下面側のスペースに移動してその傾斜する内壁面に当接する。
【００２５】
この装着状態において、嵌合溝１への弾性脚４自由端部の嵌合によりカバー部材６のブラケット本体３に対する縦方向へのずれが防止されるとともに、フック５と張り出し部２の係止によりブラケット本体３正面側へのカバー部材６の脱離が防止される。また、弾性脚４はカバー部１９側から固定片３ｂ側に向かって５度程度下向きに傾斜して自由端部を嵌合溝１に下方から支持され、フック５は、ほぼ水平姿勢のアーム部２２の先端から上方に突出する拡開鉤部２３を下方に突出する張り出し部２に係止させているために、ブラケット本体３に対して上下に突っ張るようにカバー部材６がしっかりと固定される。
【００２６】
さらに、装着状態においてカバー部材６の挟持壁２０、２０によりブラケット本体３の両側面が挟み付けられ、これによりカバー部材６のブラケット本体３に対する横方向へのずれについても防止される。加えて、カバー部材６の上方はブラケット本体３の連結片３ｃによりほぼ塞がれてその上端縁部８は連結片３ｃの基端部にほぼ当接した状態になるとともに、カバー部１９等がアンカーボルト１５のみならずブラケット本体３の固定片３ｂの下端を含めて全体をほぼ覆い隠し、これによりブラケット本体３の連結片３ｃの下方にほぼ一体をなすようにしてカバー部材６が装着されて全体の意匠性が極めて高められる。
【００２７】
また、この実施の形態において、カバー部材６のブラケット本体３に対する装着をより安定させるために、カバー部材６には、図２等に示すように、弾性押圧片２４と、ストッパ片２５と、補強片９とが形成される。弾性押圧片２４は、フック５、５の間に該フック５のアーム部２２と同じ向きで、かつよりカバー部１９の上端寄りに立設される板状体で、カバー部材６のブラケット本体３に対する装着時に張り出し部２を押圧して弾性脚４と嵌合溝１の嵌合、フック５と張り出し部２の係止によりブラケット本体３に装着されるカバー部材６の装着時のがたつきを防止する。また、この押圧により、フック５は撓むことなく拡開鉤部２３を張り出し部２に係止し、撓みにより生じる応力作用による材料疲労、劣化が防止される。
【００２８】
ストッパ片２５は、カバー部１９の四隅部近傍から立設され、フック５の張り出し部２への係止状態において固定片３ｂの表面にその先端を当接させてカバー部材６のブラケット本体３に対する正面方向のがたつきを防止する。また、固定片３ｂの底面とカバー部材６の挟持壁２０や覆い壁２１の先端との間に適宜のクリアランスを確保し、壁面１４に貼り付けられる壁紙などに対する挟持壁２０等の衝接を防止する。
【００２９】
補強片９は、弾性脚４の板厚方向に隣接して立設され、カバー部材６をこじるなどされて弾性脚４が過度に変形するときに弾性脚４に衝接し、弾性脚４の過度の弾性変形や塑性変形、破壊によるフック５と張り出し部２の係止解除によるカバー部材６のブラケット本体３からの脱離を防止する。したがって補強片９の弾性脚４に対する配置間隔は、例えばカバー部材６がほぼ真下に強い力で引っ張られて嵌合溝１から抜ける程度に弾性脚４が極度に撓む際の撓み量で接触する程度とされ、後述する正規の取り外し方法による場合に弾性脚４に衝接することはない。なお、この実施の形態においては、図２等に示すように、補強片９は上述したストッパ片２５を兼ねて構成される。
【００３０】
以上のようにして装着されるカバー部材６のブラケット本体３からの取り外しは、弾性脚４と嵌合溝１の係合するカバー部材６下端縁部７を中心にフック５を回転させる装着時とは逆に、カバー部材６上端縁部８、より詳細には連結片３ｃにほぼ接触するカバー部１９の上端縁１９ａを中心にしてカバー部材６を回転させ、フック５と張り出し部２との係止状態を維持しつつ弾性脚４を嵌合溝１から弾発的に係合解除した後、今度はカバー部材６を下方に下ろしてフック５と張り出し部２を係止解除させることによってなされる。
【００３１】
手順を詳しく説明すると、カバー部材６の両挟持壁２０、２０を指で摘み、図５において白抜きの矢印で示すように上方に向かって反時計回りに引き起こすと、カバー部材６はカバー部１９上端縁１９ａを連結片３ｃの基端部に摺接させるようにして回転し、このときフック５と張り出し部２は係止基端部２７を中心に係止状態を維持しながら回転し、さらにこの回転により弾性脚４には嵌合溝１の下方の内壁面を押す力が働き、回転の進行に伴って次第に下方に向かって凸な弓状に弾性変形して嵌合溝１との係合深さを超える撓みを生じたときに嵌合溝１から弾発的に係合解除する。なお、カバー部１９の上端縁１９ａと連結片３ｃとの間に仮に隙間が存在するときには、カバー部材６は同様にその上端縁部８を中心にして回転はするものの、この隙間の許す範囲内で一時的にフック５と張り出し部２の係止基端部２７を中心にして回転する場合もある。
【００３２】
上述したように弾性脚４はフック５のアーム部２２よりも板厚を厚くされ、また、弾性脚４が下方に傾斜してカバー部材６上端縁部８を中心に回転したときの弾性脚４自由端の回転軌道がより大きくなり、嵌合溝１との係合解除に必要な弾性変形量がより大きくなる、すなわち弾性脚４と嵌合溝１との実質的な係合深さが深くなることにより、カバー部材６のブラケット本体３からの取り外しには、その取り付けに比して極めて強い力が必要となる。
【００３３】
なお、以上の実施の形態においては、壁面１４等の手摺ブラケットＡの取り付け対象物への取り付け状態において、フック５を張り出し部２に対して上向きに係止させるとともに、弾性脚４をカバー部材６の基端から下向きに傾斜して突出させ、あるいはフック５を弾性脚４の上方に配置する場合を示したが、フック５の係止する向きと弾性脚４の傾きを反対方向にし、また、カバー部材６の上下端部７、８にフック５と弾性脚４のそれぞれを配置すればカバー部材６のがたつき防止は確保できるため、これらの向きや配置については、逆にすることも可能である。また、拡開鉤部２３もアーム部２２の先端部に限らず、例えば中間部に設けることも可能である。さらに、例えば大人用と子供用など複数本の手摺笠木１１、１１、・・を支持するように構成した場合にも、カバー部材６の回転スペースを確保すれば問題が生じることはない。
【図面の簡単な説明】
【００３４】
【図１】本発明を示す分解斜視図で、正面側を表す図である。
【図２】本発明を示す分解斜視図で、背面側を表す図である。
【図３】手摺笠木を支持、固定した状態を示す斜視図である。
【図４】手摺笠木を支持、固定した状態を示す縦断面図である。
【図５】ブラケット本体に対するカバー部材の取り付け、取り外し操作を示す要部縦断面図である。
【符号の説明】
【００３５】
１  被係合部
２  被係止部
３  ブラケット本体
４  弾性脚
５  フック部
６  カバー部材
７  一端縁部
８  対向端縁部
９  補強片
【図１】
2007182706.tif 000003
【図２】
2007182706.tif 000004
【図３】
2007182706.tif 000005
【図４】
2007182706.tif 000006
【図５】
2007182706.tif 000007